(57)【要約】【課題】  ブランクの洗浄及び乾燥がムラなく均一状に、かつ効果的に行える洗浄機を得ること。【解決手段】  受け台５と、受け台５に前下がりの傾斜状で回転自由に支持されると共に周壁に多数の孔６ｂが形成され、かつ内面に螺旋案内壁６ｂが前端側入口Ａから後端側出口Ｂまで連続して設けられた中空円筒体６と、中空円筒体６を回転させるモータ７と、中空円筒体６内の前半部において洗浄液Ｓを噴射する洗浄液噴射器８と、中空円筒体６内の後半部において温風を吹き出す乾燥温風器９と、受け台５の前端側に中空円筒体６から流れ出た洗浄液Ｓを一定量貯めると共に、中空円筒体６の前半下部が前下がりに浸かる貯留槽１５とで傾斜型洗浄機１を構成した。【選択図】図１
0003129789.tif 000002
【実用新案登録請求の範囲】
【請求項１】
ベース部材と、ベース部材に前下がりの傾斜状で回転自由に支持されると共に周壁に多数の孔が形成され、かつ内面に螺旋案内壁が前端側入口から後端側出口まで連続して設けられた中空円筒体と、中空円筒体を回転させる駆動手段と、中空円筒体内の前半部において洗浄液を噴射する洗浄液噴射器と、中空円筒体内の後半部において温風を吹き出す乾燥温風器と、ベース部材の前部側に中空円筒体から流れ出た洗浄液を一定量貯めると共に、中空円筒体の前半下部が前下がりに浸かる貯留槽とを備え、中空円筒の入口から投入され螺旋案内壁により回転しながら出口へ押し出されるブランクに、中空円筒体内の前半部においては洗浄液噴射器から洗浄液を噴射して洗浄し、中空円筒体内の後半部においては乾燥温風器により温風を吹き付けて乾燥させ排出するようにし、回転する中空円筒体は任意に傾斜角をかえられることを特徴とする傾斜型洗浄機。
【請求項２】
中空円筒体をその入口側下部を基点として上下に揺動させ任意の傾斜角度に調整する傾斜調整手段と、傾斜しながら回転する中空円筒体にて洗浄除去された汚物を排出する手段と、貯留槽内に設置され洗浄液を超音波振動させる超音波発信器を備えていることを特徴とする請求項１に記載の傾斜型洗浄機。
【考案の詳細な説明】
【技術分野】
【０００１】    本考案は主としてフォーマーで圧造されたボルトやナットなどのパーツ部品（以下ブランクと称す）に付着したクーラントオイルを除去する傾斜型洗浄機に関する。
【背景技術】
【０００２】  従来、フォーマーで圧造されたブランクにはクーラントオイルが付着しており、このクーラントオイルをブランクから完全に除去しないと、環境問題からメッキ、熱処理業界では後加工を行わないといった状況下にある。【０００３】  そこで、ブランクからクーラントオイルを除去する洗浄機として、例えばブランクを多数収容した穴明きケースを水平移動させる水平搬送手段と、水平搬送手段の前半部の上方に配置される洗浄液噴射器と、水平搬送手段の後半部の上方に配置される乾燥温風器とからなるものが知られている。【０００４】  そして、この洗浄機では、ブランクを穴明きケースに多数収容し、その穴明きケースを水平搬送手段で水平移動させる一方、その搬送前半部において洗浄液噴射器により上方から洗浄液をブランクに噴射してブランクに付着したクーラントオイルの洗浄除去を行い、搬送後半部において乾燥温風器により上方から温風を移動するブランクに吹き付けて乾燥させるようになされている。
【考案の開示】
【考案が解決しようとする課題】
【０００５】  ところが、上記した洗浄機によれば、穴明きケース内の多数のブランクは同じ姿勢を保ったまま穴明きケースと共に水平移動されるため、洗浄液噴射器による洗浄効果が悪く、つまりブランクの重なった部分やブランクの上面側に較べて下面側の洗浄がうまく行われず洗浄ムラが生じる問題がある。また、乾燥温風機によるブランクの乾燥についても洗浄の場合と同様にブランクの上面側への温風の吹き付けだけで乾燥効率が非常に悪く乾燥ムラが生じる問題を有していた。そのため、搬送距離を延ばして洗浄時間や乾燥時間を長くとる必要があり、全体が大型化しコスト高となる問題があった。【０００６】  そこで、本考案はブランクの洗浄及び乾燥がムラなく均一状に、かつ効果的に行える傾斜型洗浄機の提供を課題とする。
【課題を解決するための手段】
【０００７】  上記した課題を解決するために、本願の請求項１に記載の考案は、ベース部材と、ベース部材に前下がりの傾斜状で回転自由に支持されると共に周壁に多数の孔が形成され、かつ内面に螺旋案内壁が前端側入口から後端側出口まで連続して設けられた中空円筒体と、中空円筒体を回転させる駆動手段と、中空円筒体内の前半部において洗浄液を噴射する洗浄液噴射器と、中空円筒体内の後半部において温風を吹き出す乾燥温風器と、ベース部材の前部側に中空円筒体から流れ出た洗浄液を一定量貯めると共に、中空円筒体の前半下部が前下がりに浸かる貯留槽とを備え、中空円筒の入口から投入され螺旋案内壁により回転しながら出口へ押し出されるブランクに、中空円筒体内の前半部においては洗浄液噴射器から洗浄液を噴射して洗浄し、中空円筒体内の後半部においては乾燥温風器により温風を吹き付けて乾燥させ排出するようにし、回転する中空円筒体は任意に傾斜角をかえられることを特徴とする。【０００８】  また、本願の請求項２に記載の考案は、請求項１の構成に加えて中空円筒体をその入口側下部を基点として上下に揺動させ任意の傾斜角度に調整する傾斜調整手段と、傾斜しながら回転する中空円筒体にて洗浄除去された汚物を排出する手段と、貯留槽内に設置され洗浄液を超音波振動させる超音波発信器を備えていることを特徴とする。
【考案の効果】
【０００９】  本考案によれば、ベース部材に前下がりの傾斜状で回転自由に支持されると共に周壁に多数の孔が形成され、かつ内面に螺旋案内壁が前端側入口から後端側出口まで連続して設けられた中空円筒体内に、その前方側開口部からブランクを投入すると、投入されたブランクは前下がりに傾斜する中空円筒体の回転に伴って螺旋案内壁によりその姿勢を常時変えながら出口（後方）側に順次移送されることになる。そして、姿勢を常時変えながら移動するブランクは中空円筒体における前半部までの間において、貯留槽内の洗浄液と噴射管から噴射される洗浄液とにより全面がムラなく均一状に、かつ効果的に洗浄されることになる。また、中空円筒体における前半部を越えて後半部に向う洗浄済みのブランクは、中空円筒体における後半部を通過する間に、姿勢を変えながら吹出管から吹き出される温風により全面がムラなく均一状に、かつ効果的に乾燥されることになる。したがって、ブランクの洗浄及び乾燥をムラなく均一状に、かつ効果的に行うことができる。その上、中空円筒体はその出口部が上方側となるように傾斜しているので、出口部より中空円筒体内における残留ブランクの有無を目視により容易に確認することができ、これによりブランクの中空円筒体内への残留をなくしながら作業性も向上できる。【００１０】  また、中空円筒体をその入口側下部を基点として上下に揺動させ任意の傾斜角度に調整する傾斜調整手段と、傾斜しながら回転する中空円筒体にて洗浄除去された汚物を排出する手段と、貯留槽内に設置され洗浄液を超音波振動させる超音波発信器を備えるようにすれば、洗浄するブランクの大きさや形状などに応じて中空円筒体の傾斜角度が適宜調整できて、ブランクの洗浄効果を向上できるし、また、中空円筒体にて洗浄除去された汚物を排出することができ、その上、超音波発信器の作動により貯留槽内の洗浄液を超音波振動させ、圧造時ブランクに発生したバリなどの微細な金属フィンの除去が行える。
【考案を実施するための最良の形態】
【００１１】  以下、本考案の実施の形態を図面に基づいて説明する。
図面は、本考案に係る傾斜型洗浄機を示すもので、該洗浄機１は、基盤２と、基盤２上に前方支持体３，３と伸縮自在な後方支持体４を介して傾斜角度変更可能に支持される受け台５と、受け台５に回転自由に支持される中空円筒体６と、受け台５に設けられ中空円筒体６を回転させるモータ７と、中空円筒体６の前半中心部において洗浄液を噴射する洗浄液噴射器８と、中空円筒体６の後半中心部において温風を吹き出す乾燥温風器９とを備えている。【００１２】  受け台５の下面には軸受部５ａ，５ａ，５ｂが設けられ、これら軸受部５ａ，５ａ，５ｂに前方支持体３，３と後方支持体４の各上部が枢支軸１１，１１，１２を介して連結支持されている。後方支持体４は円筒下部４ａとこれに対して出入りする伸縮ロッド４ｂとを備え、その円筒下部４ａが基盤２に対し揺動可能に支持されると共に中間部に回転ハンドル４ｃが設けられ、回転ハンドル４ｃ回転操作により伸縮ロッド４ｂの円筒下部４ａに対する突出長さが変更できるようになっている。この後方支持体４の長さ調整により、受け台５及び中空円筒体６の傾斜角度を調整できるようになっている。なお、後方支持体４としては例えばシリンダーなどを用いてもよいことは勿論である。【００１３】  受け台５の上面には、前壁５１と後枠５２が設けられていると共に、中空円筒体６を回転自由に支持するための支持ローラ１３，１３，１４，１４が設けられ、かつ、受け台５の前部側に中空円筒体６から流れ出た洗浄液Ｓを一定量貯める貯留槽１５が設けられている。これにより前下がりに傾斜する中空円筒体６の前部部分が洗浄液Ｓに浸かることになる。【００１４】  中空円筒体６の外周には多数の孔６ａ…６ａが形成されていると共に、その内面に螺旋案内壁６ｂが前端側入口Ａから後端側出口Ｂまで連続して設けられている。螺旋案内壁６ｂの中心軸部分は図示していないが開口し、出口Ｂ側から入口Ａ側見通せるようになっている。また、中空円筒体６の後端部側の外周には受け台５の下面に設けられたモーター７の回転ベルト１６が掛設されている。【００１５】  洗浄液噴射器８は、基盤２の中間部一側方に洗浄液Ｓの供給ポンプ８１とタンク８２が設けられる一方、中空円筒体６の前半中心部に噴射管８３が配設され、この噴射管８３の基端部と供給ポンプ８１とが連結管８４を介して連通連結されている。また、乾燥温風器９は、受け台５の後枠５２の上部に配設される一方、中空円筒体６の後半中心部に吹出管９１が配設され、この吹出管９１と乾燥温風器９とが連結管９２を介して連通連結されている。図１中、符号１７は中空円筒体６の出口Ｂから排出されるブランク（図示せず）の外部への排出案内板である。【００１６】  また、貯留槽１５内には超音波発信器１８を設置し、超音波発信器１８の作動により洗浄液Ｓが超音波振動を行い、圧造時ブランクに発生したバリなどの微細な金属フィンの除去が行えるようにしている。また、貯留槽１５内の洗浄液が所定量を保つようにバイパス管１９を介してオーバーフローした洗浄液をタンク８２に還流させるようになされている。【００１７】  なお、上記した実施の形態では、基盤２と、基盤２上に支持される前方及び支持体３，３，４と、傾斜状に支持される受け台５との３つ部材でベース部材を構成するようにしたけれども、この他ベース部材を例えば箱型の受け台（図示せず）などを用い１つの部材で構成するようにしてもよい。【００１８】  次に、傾斜型洗浄機の作用について説明する。
まず、洗浄するブランクの大きさや形状などに応じて後方支持体４の長さ（高さ）を変更し受け台５、換言すれば中空円筒体６の傾斜角度を適宜調整する。例えばブランクが少し大きいため、中空円筒体６の貯留槽１５の洗浄液Ｓに浸かる深さを深くしたいときには、回転ハンドル４ｃを操作して後方支持体４の長さを長くして基盤２に対する受け台５の傾斜角度を大きく調整すればよいし、また、ブランクが小さいため、中空円筒体６の貯留槽１５の洗浄液Ｓに浸かる深さが浅くてもよいときには、回転ハンドル４ｃを操作して後方支持体４の長さを短くして基盤２に対する受け台５の傾斜角度を小さく調整すればよい。【００１９】  次に、モーター７を駆動して回転ベルト１６を介して中空円筒体６を回転させる一方、洗浄液噴射器８のポンプ８１を作動して噴射管８３から洗浄液Ｓを中空円筒体６の前半部内に噴射すると共に、乾燥温風器９を駆動して吹出管９１から温風を中空円筒体６の後半部内に吹き込み、さらに、貯留槽１５内の超音波発信器１８の作動により洗浄液Ｓを超音波振動させる。【００２０】  その後、中空円筒体６内にその前端側入口部Ａからブランクを投入する。投入されたブランクは中空円筒体６の回転に伴って螺旋案内壁６ｂによりその姿勢を常時変えながら後端出口Ｂ側に順次移送されることになる。そして、姿勢を常時変えながら移動するブランクは中空円筒体６における前半部までの間において、貯留槽１５内の洗浄液Ｓと噴射管８３から噴射される洗浄液Ｓとにより全面がムラなく均一状に、かつ効果的に洗浄され、ブランクに付着したクーラントオイルの洗浄除去されることになる。斯かる洗浄時、同時に貯留槽１５内の超音波発信器１８の作動により洗浄液Ｓが超音波振動を行い、圧造時ブランクに発生したバリなどの微細な金属フィンの除去が一緒に行える。【００２１】  然る後、中空円筒体６における前半部を越えて後半部に向う洗浄済みのブランクは、中空円筒体６における後半部を通過する間に、姿勢を変えながら吹出管９１から吹き出される温風により全面がムラなく均一状に、かつ効果的に乾燥されることになる。【００２２】  以上のように、ブランクの洗浄及び乾燥をムラなく均一状に、かつ効果的に行うことができる。【００２３】  また、上記したように中空円筒体６をその入口下部を基点として任意の傾斜角度に調整する伸縮可能な後方支持体４を備えているから、洗浄するブランクの大きさや形状などに応じて中空円筒体６の傾斜角度を適宜調整でき、ブランクの洗浄効果を向上できる。その上、中空円筒体６はその出口Ｂが上方側となるように傾斜しているので、出口Ｂ部より中空円筒体６内の残留ブランクの有無を黙視により容易に確認することができ、これによりブランクの中空円筒体６内への残留をなくしながら作業性も向上できる。
【図面の簡単な説明】
【００２４】
【図１】  本考案の傾斜型洗浄機の側面図である。
【図２】  同洗浄機の平面図である。
【図３】  同洗浄機の背面図である。
【図４】  図１の一部省略Ａ−Ａ矢視図である。
【符号の説明】
【００２５】  １          傾斜型洗浄機
５          受け台（ベース部材）
６          中空円筒体
６ａ        孔
６ｂ        螺旋案内壁
７          モータ
８          洗浄噴射器
９          乾燥温風器
１５        貯留槽
１８        超音波発信器
Ａ          入口
Ｂ          出口
Ｓ          洗浄液
【図１】
0003129789.tif 000003
【図２】
0003129789.tif 000004
【図３】
0003129789.tif 000005
【図４】
0003129789.tif 000006